(57)【要約】【課題】ＯＳＤ表示機能を有する表示装置において、適切な焼付低減制御を行う。【解決手段】外部からの第１の画像データを入力する入力手段と、第２の画像データを生成する生成手段と、前記第１の画像データに前記第２の画像データを合成して表示データを生成する合成手段と、前記表示データに基づく画像を表示する表示手段と、前記表示手段に前記第２の画像データに基づく画像が表示されてから一定期間経過した場合に、前記第２の画像データの内容に応じて前記第２の画像データに基づく画像の表示態様を変更する制御を行う制御手段と、を有する表示装置。【選択図】図１
2016045403.tif 000002
【特許請求の範囲】
【請求項１】
外部からの第１の画像データを入力する入力手段と、
第２の画像データを生成する生成手段と、
前記第１の画像データに前記第２の画像データを合成して表示データを生成する合成手段と、
前記表示データに基づく画像を表示する表示手段と、
前記表示手段に前記第２の画像データに基づく画像が表示されてから一定期間経過した場合に、前記第２の画像データの内容に応じて前記第２の画像データに基づく画像の表示態様を変更する制御を行う制御手段と、
を有する表示装置。
【請求項２】
前記制御手段は、前記第２の画像データの内容と前記第２の画像データに基づく画像の表示態様の変更の仕方との予め定められた対応関係の情報を取得し、当該対応関係と、前記生成手段から取得する前記第２の画像データの内容の情報と、に基づき前記第２の画像データに基づく画像の表示態様を変更する請求項１に記載の表示装置。
【請求項３】
前記制御手段は、前記第２の画像データに基づく画像の輝度を変更することにより、前記第２の画像データに基づく画像の表示態様を変更する請求項１又は請求項２に記載の表示装置。
【請求項４】
前記制御手段は、前記第２の画像データの内容が、前記第１の画像データのフォーマット情報、又はメニューである場合、前記第２の画像データに基づく画像を消去し、又は、前記第２の画像データに基づく画像を表示する位置を変更することにより、前記第２の画像データに基づく画像の表示態様を変更する請求項１〜請求項３のいずれか１項に記載の表示装置。
【請求項５】
前記制御手段は、前記第２の画像データの内容が、前記第１の画像データのタイムコード、波形モニタ、又はベクトルスコープである場合、前記第２の画像データに基づく画像の輝度を低くすることにより、前記第２の画像データに基づく画像の表示態様を変更する請求項１〜請求項３のいずれか１項に記載の表示装置。
【請求項６】
前記制御手段は、前記第２の画像データの内容が、フレーム内の位置を示すマーカ、フォーカスアシスト、又はゼブラパターンである場合、前記第２の画像データに基づく画像を構成する画素のうち一部の輝度を低くし、又は消去することにより、前記第２の画像データに基づく画像の表示態様を変更する請求項１〜請求項３のいずれか１項に記載の表示装置。
【請求項７】
前記制御手段は、前記第２の画像データに基づく画像を構成する画素のうち輝度を低くし、又は消去する画素を定期的に変更する請求項６に記載の表示装置。
【請求項８】
前記制御手段は、前記入力手段への前記第１の画像データの入力の有無にもさらに基づき、前記第２の画像データに基づく画像の表示態様を変更する制御を行う請求項１〜請求項７のいずれか１項に記載の表示装置。
【請求項９】
前記制御手段は、前記入力手段へ前記第１の画像データが入力されていない場合、又は、入力されてはいるが前記表示手段で表示できないフォーマットの画像データである場合、前記第２の画像データに基づく画像を消去し、又は、前記第２の画像データに基づく画像を表示する位置を変更することにより、前記第２の画像データに基づく画像の表示態様を変更する請求項８に記載の表示装置。
【請求項１０】
前記制御手段は、前記入力手段へ入力される前記第１の画像データにタイムコード情報が含まれているか否かにもさらに基づき、前記第２の画像データに基づく画像の表示態様を変更する制御を行うものであって、タイムコード情報が含まれていない場合、前記第２の画像データに基づく画像を消去し、又は、前記第２の画像データに基づく画像を表示する位置を変更し、タイムコード情報が含まれており、かつ、前記第２の画像データの内容が前記第１の画像データのタイムコードである場合、前記第２の画像データに基づく画像の輝度を低くすることにより、前記第２の画像データに基づく画像の表示態様を変更する請求項１〜請求項９のいずれか１項に記載の表示装置。
【請求項１１】
外部からの第１の画像データを入力する入力工程と、
第２の画像データを生成する生成工程と、
前記第１の画像データに前記第２の画像データを合成して表示データを生成する合成工程と、
前記表示データに基づく画像を表示手段に表示する表示工程と、
前記表示手段に前記第２の画像データに基づく画像が表示されてから一定期間経過した場合に、前記第２の画像データの内容に応じて前記第２の画像データに基づく画像の表示態様を変更する制御を行う制御工程と、
を有する表示装置の制御方法。
【請求項１２】
前記制御工程では、前記第２の画像データの内容と前記第２の画像データに基づく画像の表示態様の変更の仕方との予め定められた対応関係の情報を取得し、当該対応関係と、前記生成工程で取得する前記第２の画像データの内容の情報と、に基づき前記第２の画像データに基づく画像の表示態様を変更する請求項１１に記載の表示装置の制御方法。
【請求項１３】
前記制御工程では、前記第２の画像データに基づく画像の輝度を変更することにより、前記第２の画像データに基づく画像の表示態様を変更する請求項１１又は請求項１２に記載の表示装置の制御方法。
【請求項１４】
前記制御工程では、前記第２の画像データの内容が、前記第１の画像データのフォーマット情報、又はメニューである場合、前記第２の画像データに基づく画像を消去し、又は、前記第２の画像データに基づく画像を表示する位置を変更することにより、前記第２の画像データに基づく画像の表示態様を変更する請求項１１〜請求項１３のいずれか１項に記載の表示装置の制御方法。
【請求項１５】
前記制御工程では、前記第２の画像データの内容が、前記第１の画像データのタイムコード、波形モニタ、又はベクトルスコープである場合、前記第２の画像データに基づく画像の輝度を低くすることにより、前記第２の画像データに基づく画像の表示態様を変更する請求項１１〜請求項１３のいずれか１項に記載の表示装置の制御方法。
【請求項１６】
前記制御工程では、前記第２の画像データの内容が、フレーム内の位置を示すマーカ、フォーカスアシスト、又はゼブラパターンである場合、前記第２の画像データに基づく画像を構成する画素のうち一部の輝度を低くし、又は消去することにより、前記第２の画像データに基づく画像の表示態様を変更する請求項１１〜請求項１３のいずれか１項に記載の表示装置の制御方法。
【請求項１７】
前記制御工程では、前記第２の画像データに基づく画像を構成する画素のうち輝度を低くし、又は消去する画素を定期的に変更する請求項１６に記載の表示装置の制御方法。
【請求項１８】
前記制御工程では、前記入力工程での前記第１の画像データの入力の有無にもさらに基
づき、前記第２の画像データに基づく画像の表示態様を変更する制御を行う請求項１１〜請求項１７のいずれか１項に記載の表示装置の制御方法。
【請求項１９】
前記制御工程では、前記入力工程で前記第１の画像データが入力されていない場合、又は、入力されてはいるが前記表示手段で表示できないフォーマットの画像データである場合、前記第２の画像データに基づく画像を消去し、又は、前記第２の画像データに基づく画像を表示する位置を変更することにより、前記第２の画像データに基づく画像の表示態様を変更する請求項１８に記載の表示装置の制御方法。
【請求項２０】
前記制御工程では、前記入力工程で入力される前記第１の画像データにタイムコード情報が含まれているか否かにもさらに基づき、前記第２の画像データに基づく画像の表示態様を変更する制御を行うものであって、タイムコード情報が含まれていない場合、前記第２の画像データに基づく画像を消去し、又は、前記第２の画像データに基づく画像を表示する位置を変更し、タイムコード情報が含まれており、かつ、前記第２の画像データの内容が前記第１の画像データのタイムコードである場合、前記第２の画像データに基づく画像の輝度を低くすることにより、前記第２の画像データに基づく画像の表示態様を変更する請求項１１〜請求項１９のいずれか１項に記載の表示装置の制御方法。
【発明の詳細な説明】
【技術分野】
【０００１】
本発明は表示装置及びその制御方法に関するものである。
【背景技術】
【０００２】
表示装置には、装置外部から入力された画像データに基づく画像を表示する他、ＯＳＤ（On Screen Display）機能を備えるものがある。ＯＳＤにより、メニュー画面を表示し
、本体ボタン等のユーザ操作により、表示画像の画質調整等の操作を行うことができる。また、ＯＳＤにより、表示中の画像データの画素数やフレームレート等のフォーマット情報を表示したり、表示装置で発生したエラー情報を表示したりできる。また、業務用の表示装置では、ＯＳＤにより、画像の画角や画像中の被写体位置を確認するためのマーカ表示やタイムコード表示を行えるものもある。
【０００３】
有機ＥＬ（Electro-Luminescence）パネルやＣＲＴ（cathode-ray tube）等の焼付きを起こしやすい表示装置では、焼付きを低減するための制御（焼付低減制御）を行うことが一般的である。焼付低減制御としては、一定時間無操作であった場合に表示画面の全体や一部の表示輝度を下げたり、ＯＳＤを消去したり、ＯＳＤの表示位置をずらす「画素ずらし」を行ったりする制御がある（特許文献１を参照）。しかし、ＯＳＤが例えばフレームの中央を示すマーカ表示である場合、その使用目的上、焼付低減制御として消去や画素ずらしを行うことは好ましくない。マーカの表示位置と画像の表示位置との関係が重要であるからである。また、マーカ表示を用いて画像の画角や画像中の被写体位置を確認する場合、ある程度長い時間を要することが多く、その場合、一定期間無操作となりやすい。しかし、マーカ表示の使用目的上、焼付低減制御としてマーカ表示の輝度を下げることは好ましくない。
【先行技術文献】
【特許文献】
【０００４】
【特許文献１】特開平８−２４８９３４号公報
【発明の概要】
【発明が解決しようとする課題】
【０００５】
本発明は、上記の課題に鑑みてなされたものであり、ＯＳＤ表示機能を有する表示装置において、適切な焼付低減制御を行うことを目的とする。
【課題を解決するための手段】
【０００６】
本発明は、外部からの第１の画像データを入力する入力手段と、
第２の画像データを生成する生成手段と、
前記第１の画像データに前記第２の画像データを合成して表示データを生成する合成手段と、
前記表示データに基づく画像を表示する表示手段と、
前記表示手段に前記第２の画像データに基づく画像が表示されてから一定期間経過した場合に、前記第２の画像データの内容に応じて前記第２の画像データに基づく画像の表示態様を変更する制御を行う制御手段と、
を有する表示装置である。
【０００７】
本発明は、外部からの第１の画像データを入力する入力工程と、
第２の画像データを生成する生成工程と、
前記第１の画像データに前記第２の画像データを合成して表示データを生成する合成工
程と、
前記表示データに基づく画像を表示手段に表示する表示工程と、
前記表示手段に前記第２の画像データに基づく画像が表示されてから一定期間経過した場合に、前記第２の画像データの内容に応じて前記第２の画像データに基づく画像の表示態様を変更する制御を行う制御工程と、
を有する表示装置の制御方法である。
【発明の効果】
【０００８】
本発明によれば、ＯＳＤ表示機能を有する表示装置において、適切な焼付低減制御を行うことができる。
【図面の簡単な説明】
【０００９】
【図１】実施例１に係る表示装置の主要な構成を示すブロック図
【図２】ＯＳＤの表示例を示す図
【図３】実施例１に係る動作を示すフローチャート
【図４】各実施例に係る焼付低減処理方法決定テーブル例
【図５】実施例１〜３に係るマーカ表示の描画ピクセルを定期的に変更する処理の例
【図６】実施例２に係る表示装置の主要な構成を示すブロック図
【図７】実施例２に係る動作を示すフローチャート
【図８】実施例３に係る表示装置の主要な構成を示すブロック図
【図９】実施例３に係る動作を示すフローチャート
【図１０】マーカ表示の描画ピクセルを定期的に変更する処理の一例
【発明を実施するための形態】
【００１０】
以下に本発明による表示装置及びその制御方法の実施例について述べる。
（実施例１）
本発明の実施例１について、図を用いて以下に説明する。
実施例１は、表示するＯＳＤ種別毎に適した焼付低減制御を実現する一例について説明する。
【００１１】
図１は本発明の実施例１による表示装置１００の主要な構成を示すブロック図である。
図１の表示装置１００は、画像受信端子１０１、画像受信部１０２、画像処理部１０３、合成部１０４、表示制御部１０５、表示部１０６、焼付制御部１０７、タイマ部１０８、操作部１０９、操作制御部１１０、ＯＳＤ生成部１１１から構成される。
表示装置１００には、不図示の外部の画像データソースから、第１の画像データが、画像受信端子１０１を介して入力される。
表示部１０６は、入力される第１の画像データに基づく画像を表示する。
【００１２】
表示装置１００は、入力される第１の画像データに基づく画像を表示する他、内部で保持又は生成する様々な内容の第２の画像データを第１の画像データに合成して生成された表示データに基づく画像を表示する。第１の画像データは、外部の画像出力機器から入力される通常の画像であり、第２の画像データはＯＳＤ表示を行うための画像である。
【００１３】
表示装置１００は、ＯＳＤとして、入力画像データのフォーマット情報を表示するバナー、メニュー、タイムコード、波形モニタ、ベクトルスコープ、フォーカスアシスト、ゼブラパターン、フレーム内の位置を示すマーカ等を表示可能である。これらのＯＳＤ表示のための第２の画像データは、ＯＳＤ生成部１１１が生成する。ＯＳＤの表示例を図２（Ａ）〜図２（Ｄ）に示す。図２（Ａ）の符号２０１は信号情報バナー、図２（Ｂ）の符号３０１はメニュー、図２（Ｃ）の符号４０１はタイムコード、図２（Ｄ）の符号５０１はマーカの一例である。
【００１４】
信号情報バナーは画像受信部１０２で受信した画像データのフォーマット（解像度（画素数）やフレームレート等）をユーザに通知するためのＯＳＤ表示である。信号情報バナーは画像表示開始直後に表示し、一定期間経過後（例えば５秒間表示した後）、消去する。
メニュー画面はユーザが表示装置１００の機能設定を行うための画面である。メニュー画面は、ユーザの操作部１０９の操作により表示開始し、一定時間（例えば３０秒間）操作がない場合は、消去する。
タイムコードは、画像データの付帯情報として画像データに記録されている時間軸情報であって、例えば、「時間：分：秒：フレーム」の形式で記録されている。タイムコード情報を画像と共に表示することで、ユーザは表示中の画像の時間軸における位置が分かり、画像編集等が実施し易くなる。
マーカ表示は、画像の画角、画像中の被写体位置、フレーム内の中央位置等を確認するための表示である。タイムコードやマーカ表示は、一定時間（例えば３０秒間）操作がない場合でも、消去しない。
【００１５】
操作部１０９は複数のボタン（不図示）を備え、ユーザはそれらボタン操作により、表示装置１００の電源オン、オフ操作、表示装置１００の機能設定を行うためのメニュー画面操作を行うことができる。ユーザはメニュー画面表示を見ながら、操作部１０９を操作し、表示装置１００が有するタイムコードやマーカを表示させることが可能である。
【００１６】
（基本動作）
表示装置１００の基本動作について説明する。
表示装置１００は、ユーザの電源ボタン（操作部１０９内、不図示）操作により起動する。起動後、画像受信部１０２は不図示の外部画像信号源からの画像信号を、画像受信端子１０１を介して受信する。表示装置１００の画像受信端子１０１は、ＳＭＰＴＥ（Society of Motion Picture and Television Engineers）で規格されるＳＤＩ（Serial Digital Interface）を用いている。画像受信端子１０１は一例であってこれに限られない。
【００１７】
画像処理部１０３は受信した画像信号を所定のフォーマット（解像度、ビット数、フレームレート）の画像データに変換する。実施例１では、画像処理部１０３は、画像信号を、水平×垂直解像度：１９２０×１０８０、ビット数：ＲＧＢ各色１０ビット、フレームレート：６０Ｈｚの画像データに変換する。合成部１０４の動作については後述する。画像データのフォーマットは一例であってこれに限られない。
【００１８】
表示制御部１０５は画像データを表示部１０６の表示解像度、表示ビット数、フレームレートに適した表示データに変換し、表示部１０６に伝送する。表示部１０６は表示制御部１０５が伝送した画像データに基づき画像を表示する。表示部１０６には有機ＥＬ（Electro-Luminescence）パネルを使用する。なお、表示部１０６は有機ＥＬパネルに限らず、液晶パネルやＭＥＭＳ（Micro Electro Mechanical Systems）パネル等でも良い。表示装置１００が表示できないフォーマットの画像データが入力されている場合、表示部１０６は全画面に黒画像を表示するものとする。
【００１９】
（ＯＳＤ：信号情報バナーの表示動作）
信号情報バナーの表示動作について説明する。
表示部１０６が画像データに基づく画像を表示開始後、ＯＳＤ生成部１１１は、表示部１０６に表示する信号情報バナーの表示制御を行う。ＯＳＤ生成部１１１は、画像受信部１０２で受信した画像データのフォーマット情報を画像処理部１０３から取得すると、そのフォーマット情報を含むＯＳＤデータを生成する。生成したＯＳＤデータは合成部１０４において、画像処理部１０３で変換した画像データと合成され、表示データが生成され
る。表示部１０６は、合成部１０４で生成された表示データに基づく画像を表示する。
【００２０】
表示部１０６に信号情報バナーの表示が開始されると、ＯＳＤ生成部１１１は、表示中のＯＳＤ種別（内容）を示す情報を焼付制御部１０７へ通知する。ここでは、ＯＳＤ生成部１１１は、表示中のＯＳＤが「信号情報バナー」であることを焼付制御部１０７へ通知する。通知を受けると、焼付制御部１０７はタイマ部１０８に対し、ＯＳＤ表示開始後一定時間が経過したときに通知（焼付タイマ通知）をさせるための情報登録を行う。焼付タイマ通知は、焼付低減処理の動作開始のタイミング制御に用いられる。焼付制御部１０７は焼付タイマ通知の登録情報とＯＳＤ種別情報を関連付けて保持する。
【００２１】
（ＯＳＤ：メニュー画面の表示動作）
メニュー画面の表示動作について説明する。
メニュー画面は、ユーザがメニュー操作ボタン（操作部１０９内、不図示）を操作するにより表示開始する。操作制御部１１０は、メニューボタン操作を検出すると、ＯＳＤ生成部１１１にメニュー画面の表示を要求する。ＯＳＤ生成部１１１は、メニュー表示画面の要求を受け付けると、ＯＳＤデータを生成する。生成されたＯＳＤデータは合成部１０４において画像データと合成され、表示データが生成される。表示制御部１０５は表示データを表示部１０６へ出力し、表示部１０６は表示データに基づきメニュー画面を表示する。
表示部１０６においてメニュー画面の表示が開始されると、ＯＳＤ生成部１１１は、表示中のＯＳＤ種別情報を焼付制御部１０７へ通知する。ここでは、ＯＳＤ生成部１１１は、表示中のＯＳＤが「ＯＳＤメニュー」であることを焼付制御部１０７へ通知する。
【００２２】
また上述の通り、ユーザはメニュー画面表示を見ながら、操作部１０９を操作し、表示装置１００の機能設定を行うことができる。操作制御部１１０は、操作部１０９からユーザによるメニュー画面操作が行われたことを検出すると、ＯＳＤ生成部１１１にメニュー画面の更新を要求する。ＯＳＤ生成部１１１は、メニュー画面の更新要求を受け付けると、新たなＯＳＤデータを生成する。合成部１０４、表示制御部１０５において上記と同様の処理が行われ、表示部１０６に更新後のＯＳＤデータに基づくメニュー画面が表示される。表示部１０６においてメニュー画面の表示が更新されると、ＯＳＤ生成部１１１は、表示中のＯＳＤ種別情報を焼付制御部１０７へ通知する。ここでは、ＯＳＤ生成部１１１は、表示中のＯＳＤが「ＯＳＤメニュー」であることを焼付制御部１０７へ通知する。通知を受けると、焼付制御部１０７はタイマ部１０８に対し、ＯＳＤ表示開始後一定時間が経過したときに通知（焼付タイマ通知）をさせるための情報登録をＯＳＤ種別情報と関連付けて行う。焼付タイマ通知は、焼付低減処理の動作開始のタイミング制御のために用いられる。
【００２３】
（ＯＳＤ：タイムコードの表示動作）
タイムコードの表示動作について説明する。
タイムコードは、メニュー画面表示中にユーザが操作部１０９を操作することにより表示開始する。操作制御部１１０は、ユーザによる操作部１０９の操作を検出し、ユーザ操作により入力された指示がタイムコード表示であることを判定すると、ＯＳＤ生成部１１１にメニュー画面の表示の消去、及びタイムコードの表示を要求する。ＯＳＤ生成部１１１は、画像受信部１０２で受信した画像データに含まれるタイムコード情報を画像処理部１０３から取得すると、タイムコード情報を含むＯＳＤデータを生成する。生成されたＯＳＤデータは合成部１０４において、画像処理部１０３で変換された画像データと合成され表示データが生成される。表示部１０６は合成部１０４で生成された表示データに基づく画像を表示する。
【００２４】
表示部１０６においてタイムコードの表示が開始されると、ＯＳＤ生成部１１１は、表
示中のＯＳＤ種別情報を焼付制御部１０７へ通知する。ここでは、ＯＳＤ生成部１１１は、表示中のＯＳＤ種別情報が「タイムコード」であることを焼付制御部１０７へ通知する。通知を受けると、焼付制御部１０７はタイマ部１０８に対し、ＯＳＤ表示開始後一定時間が経過したときに通知（焼付タイマ通知）をさせるための情報登録をＯＳＤ種別情報と関連付けて行う。焼付タイマ通知は、焼付低減処理の動作開始のタイミング制御のために用いられる。
【００２５】
（ＯＳＤ：マーカの表示動作）
マーカの表示動作について説明する。
マーカは、メニュー画面表示中にユーザが操作部１０９を操作することにより表示開始する。操作制御部１１０は、ユーザによる操作部１０９の操作を検出し、ユーザ操作により入力された指示がマーカ表示であることを判定すると、ＯＳＤ生成部１１１にメニュー画面の表示の消去、及びマーカの表示を要求する。ＯＳＤ生成部１１１は、マーカ表示用のＯＳＤデータを生成する。生成されたＯＳＤデータは合成部１０４において、画像処理部１０３で変換された画像データと合成され表示データが生成される。表示部１０６は合成部１０４で生成された表示データに基づく画像を表示する。
【００２６】
表示部１０６においてマーカの表示が開始されると、ＯＳＤ生成部１１１は、表示中のＯＳＤ種別情報を焼付制御部１０７へ通知する。ここでは、ＯＳＤ生成部１１１は、表示中のＯＳＤ種別情報が「マーカ」であることを焼付制御部１０７へ通知する。通知を受けると、焼付制御部１０７はタイマ部１０８に対し、ＯＳＤ表示開始後一定時間が経過したときに通知（焼付タイマ通知）をさせるための情報登録をＯＳＤ種別情報と関連付けて行う。焼付タイマ通知は、焼付低減処理の動作開始のタイミング制御のために用いられる。焼付制御部１０７は焼付タイマ通知の登録情報とＯＳＤ種別情報を関連付けて保持する。
【００２７】
（焼付低減処理：焼付制御部１０７の動作について）
以下、焼付低減処理についての説明を行う。焼付低減処理は、タイマ部１０８から焼付制御部１０７に通知される焼付タイマ通知の受信をトリガに開始する。焼付タイマ通知には、上述の登録時に関連付けたＯＳＤ種別情報が含まれる。
【００２８】
図３は実施例１における焼付低減処理を示すフローチャートである。
（Ｓ６０１）
Ｓ６０１において、焼付制御部１０７はタイマ部１０８から焼付タイマ通知を受信すると、その通知要因を判定する。焼付制御部１０７は、焼付タイマ通知が含むＯＳＤ種別情報に基づき通知要因の判定を行う。焼付タイマ通知は、いずれかのＯＳＤが表示開始してから一定期間経過した場合にタイマ部１０８により通知されるものである。通知要因の判定とは、表示開始してから一定期間経過したＯＳＤの種別（内容）を判定することを意味する。
【００２９】
（Ｓ６０２）
Ｓ６０２において、焼付制御部１０７は焼付低減処理の方法を決定するためのテーブルを取得する。テーブルの一例を図４に示す。このテーブルは、ＯＳＤ種別（ＯＳＤの内容）と、ＯＳＤの表示開始から一定期間経過した場合にＯＳＤの表示態様を変更する仕方である焼付低減処理方法と、の予め定められた対応関係の情報を記載したテーブルである。実施例１では、表示装置１００内の不揮発メモリ（不図示）にこのテーブルが記録されている。
【００３０】
（Ｓ６０３）
Ｓ６０３において、焼付制御部１０７は、Ｓ６０１で判定した焼付タイマ通知要因と、Ｓ６０２で取得したテーブルに基づき、焼付低減処理方法を選択し、決定する。
例えば、焼付タイマ通知要因が「信号情報バナー」又は「メニュー画面」であった場合、焼付制御部１０７は、焼付低減処理として、「ＯＳＤ消去」を選択し、決定する。焼付タイマ通知要因が「タイムコード」であった場合、焼付制御部１０７は、焼付低減処理として「ＯＳＤ表示輝度を低下」させる処理を選択し、決定する。焼付タイマ通知要因が「マーカ」であった場合、焼付制御部１０７は、焼付低減処理として「定期的に描画ピクセルを変更」する処理を選択し、決定する。
【００３１】
（Ｓ６０４）：ＯＳＤ消去
Ｓ６０４において、焼付制御部１０７は、ＯＳＤ生成部１１１に対し、ＯＳＤ種別情報と共に表示中ＯＳＤの消去を要求する。ＯＳＤ種別情報が「信号情報バナー」であった場合、表示中の信号情報バナーのみ消去される。ＯＳＤ種別情報が「メニュー画面」であった場合、表示中のメニュー画面のみ消去される。なお、ＯＳＤ表示開始から一定期間経過後の表示態様の変更の仕方を表示の消去とするのが好適なＯＳＤとしては、画像データのフォーマット情報、又はメニュー等を例示できる。ここではフォーマット情報を表示する信号情報バナー及びメニュー画面の場合を例に説明した。なお、これらのＯＳＤ表示の表示態様の変更の仕方は、表示の消去の代わりに、表示位置の変更としても良い。これらのＯＳＤ表示は、フレーム内での表示位置が例えばマーカ表示と比較して重要ではないからである。
【００３２】
（Ｓ６０５）：ＯＳＤ表示輝度を低下
Ｓ６０５において、焼付制御部１０７は、ＯＳＤ生成部１１１に対し、ＯＳＤ種別情報と共に表示中ＯＳＤの輝度を低下させるよう要求する。ＯＳＤ生成部１１１は、ＯＳＤの表示輝度が低下するようなＯＳＤデータを再生成する。生成されたＯＳＤデータは合成部１０４において、画像処理部１０３で変換された画像データと合成され、表示データが生成される。表示部１０６には合成部１０４で生成された表示データに基づく画像が表示される。ＯＳＤ種別情報が「タイムコード」であった場合、タイムコードの表示領域のみの表示輝度が低下する。なお、表示輝度を低下させるのが好適なＯＳＤとしては、波形モニタやベクトルスコープ等を例示できる。
【００３３】
（Ｓ６０６）：定期的に描画ピクセルを変更
Ｓ６０６において、焼付制御部１０７は、ＯＳＤ生成部１１１に対し、ＯＳＤ種別情報と共に表示中ＯＳＤの描画ピクセルを定期的に変更する処理を実行するよう要求する。ＯＳＤの描画ピクセルを変更するとは、ＯＳＤの画像を構成する画素のうち一部の輝度を低くし、又は消去することである。定期的に描画ピクセルを変更するとは、ＯＳＤの画像を構成する画素のうち、輝度を低くし、又は消去する画素を、定期的に変更することである。図５は表示中のマーカ表示の描画ピクセルを定期的に変更する処理の一例を模式的に表した図である。図５の例では、マーカ表示の描画部分を１ピクセル毎交互に、定期的に切り換えて描画することを示している。１ピクセル毎交互に、定期的に切り換えて描画する焼付低減処理を行えば、マーカの表示位置と画像の表示位置との関係は変わることがないため、ユーザが画像の画角や画像中の被写体位置を確認する作業に支障を来さない。なお、定期的に切り換える期間は、焼付を好適に抑制できる効果が得られる範囲内で任意であり、例えば５秒間隔や１０秒間隔を例示できる。ＯＳＤ種別情報が「マーカ表示」であった場合、マーカ表示を構成する画素のうち一部の輝度を低くし、又は消去することにより描画ピクセルの定期的に変更する処理が行われる。このような焼付低減処理が好適なＯＳＤとしては、フレーム内の位置を示すマーカ、フォーカスアシスト、ゼブラパターン等を例示できる。これらのＯＳＤ表示は、外部から入力される第１の画像データに基づく画像との位置関係が重要であり、表示位置を変更する方法で焼付低減処理を行えないが、描画ピクセルを定期的に変更する処理を行うことで好適に焼付低減を行うことができる。
【００３４】
実施例１によれば、内部で生成される第２の画像データに基づく画像が表示部に表示さ
れてから一定期間経過した場合に、第２の画像データの内容（種別）に応じて第２の画像データに基づく画像の表示態様を変更する制御が行われる。第２の画像データはＯＳＤの画像を構成する画像データを特に例示した。第２の画像データの内容（種別）と表示態様の変更の仕方との対応関係は予め定められてテーブルに格納されている。記載したＯＳＤ種別毎に適した焼付低減処理方法を決定する。それにより、画像制作向けディスプレイにおいて、表示するＯＳＤ種別毎の目的に適した焼付低減制御を実現できる。
【００３５】
（実施例２）
本発明の実施例２について、図を用いて以下に説明する。
実施例１では、「信号情報バナー」、「メニュー画面」、「タイムコード」、「マーカ」といったＯＳＤ種別毎に適した焼付低減処理を制御する一例について説明した。実施例２では、表示装置へ外部からの画像データ（第１の画像データ）の入力の有無にもさらに基づき、焼付低減処理を制御する一例について説明する。
【００３６】
図６は本発明の実施例２による表示装置９００の主要な構成を示すブロック図である。図１と符号が同じブロックについては、実施例１で記載したブロックと同様の作用を有する。画像解析部９１２、焼付制御部９０７が有する作用については後述する。
【００３７】
図７は実施例２における焼付低減処理を示すフローチャートである。
（Ｓ１００１）
Ｓ１００１の処理は、前述の実施例１のＳ６０１と同様のため、説明を割愛する。
（Ｓ１００２）
Ｓ１００２において、画像解析部９１２は、画像受信部１０２に画像データが入力されているか、入力されている場合は、表示装置９００が表示可能なフォーマットの画像データであるかを解析し、判断する。画像解析部９１２は、その判断結果を入力画像情報として、焼付制御部９０７へ通知する。画像データの入力が無い場合、又は画像データの入力はあるが、表示装置９００が表示できないフォーマットの画像データである場合、画像解析部９１２は、入力画像情報として「信号入力無し又は表示不可」を焼付制御部９０７へ通知して、Ｓ１００５に進む。表示装置９００が表示可能な画像データが入力されている場合、画像解析部９１２は、入力画像情報として「信号入力有りかつ表示可」を焼付制御部９０７へ通知して、Ｓ１００４に進む。
【００３８】
（Ｓ１００３）
Ｓ１００３の焼付制御部９０７の処理は、前述の実施例１のＳ６０２における焼付制御部１０７と同様のため、説明を割愛する。
（Ｓ１００４）
Ｓ１００４において、焼付制御部９０７は、Ｓ１００１で判定した焼付タイマ通知要因と、Ｓ１００２で通知された入力画像情報と、Ｓ１００３で取得したテーブルに基づき、焼付低減処理方法を選択し、決定する。
焼付制御部９０７は、入力画像情報「画像データ入力有りかつ表示不可」の場合、焼付低減処理として、「ＯＳＤ消去」を選択、決定する。この場合、ＯＳＤの表示を消去する代わりに、ＯＳＤの画像を表示する位置を変更する焼付低減処理を行っても良い。
焼付制御部９０７は、入力画像情報「画像データ入力有りかつ表示可」であって、焼付タイマ通知要因が「信号情報バナー」又は「メニュー画面」であった場合、焼付低減処理として、「ＯＳＤ消去」を選択し、決定する。焼付制御部９０７は、焼付タイマ通知要因が「タイムコード」であった場合には、「ＯＳＤ表示輝度を低下」させる処理を選択し、「マーカ」であった場合には、「定期的に描画ピクセルを変更」する処理を選択し、決定する。
【００３９】
（Ｓ１００５〜Ｓ１００７）
Ｓ１００５〜Ｓ１００７の処理は各々、前述の実施例１のＳ６０４〜Ｓ６０６と同様のため、説明を割愛する。
実施例２では、表示装置への外部からの画像データの入力の有無や、入力画像データが表示可能であるか否かの情報と、表示中のＯＳＤ種別情報に基づき、ＯＳＤ種別毎に適した焼付低減処理方法が決定される。これにより、表示するＯＳＤ種別毎に適した焼付低減処理を行うことができる。
【００４０】
（実施例３）
本発明の実施例３について、図を用いて以下に説明する。
実施例１では、「信号情報バナー」、「メニュー画面」、「タイムコード」、「マーカ」といったＯＳＤ種別毎に適した焼付低減処理を行う一例について説明した。実施例３では、入力画像データにタイムコード情報を含むか否か、に基づいて、焼付低減処理を制御する一例について説明する。
【００４１】
図８は本発明の実施例３による表示装置１１００の主要な構成を示すブロック図である。図６と符号が同じブロックについては、実施例２で記載したブロックと同様の作用を有する。画像解析部１１１２、焼付制御部１１０７が有する作用については後述する。
図９は実施例３における焼付低減処理を示すフローチャートである。
（Ｓ１２０１）
Ｓ１２０１の処理は、前述の実施例２のＳ１００１と同様のため、説明を割愛する。
【００４２】
（Ｓ１２０２）
Ｓ１２０２において、画像解析部１１１２は、画像受信部１０２に入力される画像データ中にタイムコード情報が含まれているかを解析し、判断する。画像解析部１１１２は、その判断結果をタイムコード有無情報として、焼付制御部１１０７へ通知する。タイムコードが含まれない場合、画像解析部１１１２は、タイムコード有無情報「無」を焼付制御部１１０７へ通知して、Ｓ１２０５に進む。タイムコード情報が含まれる場合は、画像解析部１１１２は、タイムコード有無情報「有」を焼付制御部１１０７へ通知して、Ｓ１２０４に進む。
【００４３】
（Ｓ１２０３）
Ｓ１２０３の焼付制御部１１０７の処理は、前述の実施例２のＳ１００３における焼付制御部９０７と同様のため、説明を割愛する。
（Ｓ１２０４）
Ｓ１２０４において、焼付制御部１１０７は、Ｓ１２０１で判定した焼付タイマ通知要因、Ｓ１２０２で通知されたタイムコード有無情報と、Ｓ１２０３で取得したテーブルに基づき、焼付低減処理方法を選択し、決定する。
【００４４】
焼付制御部１１０７は、焼付タイマ通知要因が「信号情報バナー」又は「メニュー画面」であった場合、焼付低減処理として、「ＯＳＤ消去」を選択し、決定する。焼付タイマ通知要因が「タイムコード」であって、タイムコード有無情報「有」の場合、焼付制御部１１０７は、「ＯＳＤ表示輝度を低下」させる処理を選択し、決定する。なお、焼付タイマ通知要因が「タイムコード」であって、タイムコード有無情報「無」の場合、Ｓ１２０２の条件分岐によりＳ１２０５が実行され、焼付低減処理として、「ＯＳＤ消去」が選択されることになる。この場合、ＯＳＤの表示を消去する代わりに、ＯＳＤの画像を表示する位置を変更する焼付低減処理を行っても良い。
焼付制御部１１０７は、焼付タイマ通知要因が「マーカ」であった場合には、「定期的に描画ピクセルを変更」する処理を選択し、決定する。
【００４５】
（Ｓ１２０５〜Ｓ１２０７）
Ｓ１２０５〜Ｓ１２０７の処理は各々、前述の実施例１のＳ１００５〜Ｓ１００７と同様のため、説明を割愛する。
実施例３によれば、入力画像の付帯情報におけるタイムコードの有無を示す情報、及び表示中のＯＳＤ種別情報に基づき、ＯＳＤ種別毎に適した焼付低減処理を実行することができる。これにより、表示するＯＳＤ種別毎に適した焼付低減処理を行うことができる。
【００４６】
（その他実施例）
以上の各実施例では、信号情報バナーは画像表示開始直後に表示し、一定時間（例えば５秒間）経過後、消去するとして、説明を行った。表示装置の設定により、信号情報バナーを表示継続せせることも可能であり、その場合の焼付低減処理は、「ＯＳＤ消去」ではなく、背景技術で述べた「画素ずらし」を適用してもよい。
【００４７】
前述の実施例では、マーカ表示の場合の焼付低減制御として、「定期的に描画ピクセルを変更」する処理を例に説明を行った。「定期的に描画ピクセルを変更」する処理を実施後、表示部への表示画像に動きが無い場合に、「ＯＳＤ表示輝度を低下」させる処理に切り換えて焼付低減制御を行っても良い。又は「定期的に描画ピクセルを変更」する処理と「ＯＳＤ表示輝度を低下」させる処理を組み合わせて焼付低減制御を実施してもよい。例えば、図５では、１ピクセル毎表示と非表示を切り替える例を示したが、表示状態のピクセルを非表示状態にするまでに、又は非表示状態のピクセルを表示状態にするまでに、段階的に輝度を変化させるようにしても良い。表示画像に動きが無いシーンとしては、不図示の外部画像データ源の画像データが一時停止（静止）状態で入力されている、等が想定される。また、ＯＳＤのうち表示更新されない部分のみ輝度を落とすようにする焼付低減制御を行っても良い。例えば、図２（Ｃ）のタイムコード表示では、「ＬＴＣ」という文字列や、時間や分を表す数字の区切り文字「：」は表示更新されず、時間や分を表す数字が表示更新されていく。よって、「ＬＴＣ」や「：」部分のみ輝度を落としていき、数字部分は輝度を維持するような焼付低減制御を行っても良い。
【００４８】
また前述の実施例１では、マーカ表示の場合の焼付低減処理として、「定期的に描画ピクセルを変更」する処理として、図５の例の通り、マーカ表示の描画部分を１ピクセル毎交互に、定期的に切り換えて描画する例に説明を行った。定期的に切り換えて描画するピクセルは１ピクセル毎交互に限らず、図１０に示す通り、２ピクセル点灯、１ピクセルは非点灯として、描画するようにしてもよい。
【００４９】
＜その他の実施形態＞
本発明は、記憶媒体に記録された、コンピュータにより実行可能な命令を、読み出し実行することで上述した本発明の実施形態に記載した１以上の機能を行うシステムや装置のコンピュータによっても、実施することができる。ここで、記憶媒体は、非一時的にデータを保持するコンピュータ読取可能な記憶媒体である。本発明はまた、システムや装置のコンピュータによって行われる方法であって、例えばコンピュータにより実行可能な命令を記憶媒体から読み出し実行することで上述した本発明の実施形態に記載した１以上の機能が行われる、方法によっても実施することができる。コンピュータは、１以上のＣＰＵ（Central Processing Unit）、ＭＰＵ（Micro Processing Unit）、その他の回路により構成される。さらに別個の複数のコンピュータや別個のコンピュータプロセッサのネットワークを含んでも良い。コンピュータにより実行可能な命令は、例えば、ネットワークや記憶媒体からコンピュータに提供されても良い。記憶媒体は、例えば、１以上の、ハードディスク、ＲＡＭ（Random-Access Memory）、ＲＯＭ（Read Only Memory）、分散コンピューティングシステムの記憶装置を含んでも良い。記憶媒体はまた、光学ディスク（例えばＣＤ（Compact Disc）、ＤＶＤ（Digital Versatile Disc）、ＢＤ（Blu-ray（登録商
標）Disc））、フラッシュメモリ、メモリカードを含んでも良い。実施例を参照して本発明を説明したが、本発明は実施例の開示に限定されないものと解されるべきである。本発
明は、実施例に対する本発明の範囲内のあらゆる変形や等価な構造や機能を包含するよう最も広く解釈されるべきものである。
【符号の説明】
【００５０】
１００：表示装置、１０２：画像受信部、１０４：合成部、１０６：表示部、１０７：焼付制御部、１１１：ＯＳＤ生成部
【図１】
2016045403.tif 000003
【図２】
2016045403.tif 000004
【図３】
2016045403.tif 000005
【図４】
2016045403.tif 000006
【図５】
2016045403.tif 000007
【図６】
2016045403.tif 000008
【図７】
2016045403.tif 000009
【図８】
2016045403.tif 000010
【図９】
2016045403.tif 000011
【図１０】
2016045403.tif 000012